(57)【要約】【課題】顧客業務時間を変更・停止することなく大規模データベースを新旧サーバ間で移行することができるシステムを実現する。【解決手段】移行期間初日においては、３世代バックアップを用いることで現行運用時間中も筐体間ディスクコピーによる移行中も顧客業務可能な状態とし、移行期間中顧客業務日においては、差分管理モードに変更し、移行期間中顧客業務終了までの更新データを差分コピーで移行するように構成し、顧客業務を変更・停止することなく、大規模データの移行を段階的に実施できるようにする。【選択図】  図１
2009230586.tif 000002
【特許請求の範囲】
【請求項１】
ファイバ回線を介して接続された現行データベース用の現行運用用ディスク装置および現行退避用ディスク装置を備えた現行サーバストレージと、ファイバ回線を介して接続された現行データベースを備えた現行サーバと、
前記ファイバ回線を介して接続された新規データベース用の新規運用用ディスク装置および新規退避用ディスク装置を備えた新規サーバストレージと、前記ファイバ回線を介して接続された新規データベースを備えた新規サーバを備え、
ディスクイメージコピーによるバックアップ運用を行うデータベース管理システムにおいて、
現行データベースが有するユーザデータを新規サーバの新規データベースへリプレースにより移行後業務開始までにおいて、移行期間初日、移行期間中顧客業務日、移行期間中顧客業務終了後、移行後業務初日を設定し、前記移行期間初日、前記移行期間中顧客業務日、前記移行期間中顧客業務終了後、前記移行後業務初日では前記現行サーバ、前記新規サーバともに前記現行サーバストレージ、前記新規サーバストレージ双方への前記ファイバ回線を介してのアクセスを可能とし、
前記移行期間初日においては、ＤＢＭＳが提供するユーティリティにより現行データベースの構成情報を新規サーバに送出し、同情報取込みにより前記現行データベースと同じ構成を前記新規データベースとして新規サーバ上に構築し、ストレージ装置プログラムが提供するストレージ筐体内ディスクイメージコピーにより、前記現行運用用ディスク装置から現行退避用ディスク装置へのディスクイメージコピーを実施し、コピーが終了次第に前記現行運用用ディスク装置での業務運用を開始可能とし、ストレージ筐体間ディスクイメージコピーにより現行退避用ディスク装置から新規運用用ディスク装置へのディスクイメージコピーを実施することにより、前記現行データベースの当日までのデータ移行を実現し、
前記移行期間中顧客業務日においては、その初日において、当日業務及び移行期間初日のデータ移行が終わり次第、新規サーバのストレージ筐体コピーモードを未管理モードから差分管理モードに切換え、移行期間中顧客業務終了までの間、当日と前日の更新差分のみをディスクメージコピー対象とし、前記現行運用用ディスク装置から前記現行退避用ディスク装置への差分ディスクイメージコピーを実施し、完了後、前記現行退避用ディスク装置から前記新規運用用ディスク装置への差分ディスクイメージコピーを実施し、
前記移行期間中顧客業務終了後においては、移行期間中最終業務終了後、当日分データを前記現行退避用ディスク装置、前記新規運用用ディスク装置へ差分ディスクイメージコピーが終わり次第、移行期間中最終業務終了までのデータを前記新規運用用ディスク装置から新規退避用ディスク装置への全ディスクイメージコピーを実施し、
前記移行後業務初日においては、ＤＢＭＳが提供するユーティリティにより現行データベース領域情報を新規サーバに送出し、完了次第前記現行データベース領域情報を新規データベースに取込むことで新規データベースでの顧客業務を実現するように構成したデータベース管理システム。
【発明の詳細な説明】
【技術分野】
【０００１】
本発明は、データベースの移行を管理するデータベース管理システムに関する。
【背景技術】
【０００２】
従来、新旧サーバ間で大規模データベース（ＤＢ）の移行を行なう方法としては、現行ＤＢから論理データを抽出し、新規ＤＢへロードする方法が知られている。この方法によれば、ユーティリティツールの仕様上、論理データ移行となるために、非常に時間が掛かるという問題があった。また、ディスクイメージコピー等を使用し、物理データ移行を実施する場合でも、リプレースを伴う移行の場合は筐体間コピーを実施することになり、筐体間コピーは筐体内イメージコピーに比べ速度が遅いという問題がある。ディスクイメージコピーは、ストレージ装置を差分管理モードと未管理モードとして実施することができ、前者は差分管理モードとなった時点からコピー実施までの間に生じた更新分データのみをコピー対象とすることで、コピー量を大幅に減らすことができるが、その特性上、移行に有効利用するためには段階的な移行方式を計画する必要が生じる。段階的移行方式を計画せず、現行大規模データを移行後業務開始の前日に筐体間コピーで一括移行しようとすると、顧客業務停止時間に一回で移行が行えず、顧客業務時間の調整が必要になってしまうことがままある。
【特許文献１】特開２００２−３６６３０９号公報
【発明の開示】
【発明が解決しようとする課題】
【０００３】
本発明の目的は、顧客業務時間の調整を行うことなく、大規模データベースの高速な移行を可能にする移行方式を提供することにある。
【課題を解決するための手段】
【０００４】
本発明は、ＤＢＭＳ（Ｄａｔａｂａｓｅ  Ｍａｎａｇｅｍｅｎｔ  Ｓｙｓｔｅｍ、データベース管理システム）のＤＢ定義送出コマンド、ＤＢ領域情報送出コマンド、ストレージ装置プログラムの３世代ディスクイメージコピー、筐体間ディスクイメージコピーを組合せて使用することにより、現行の顧客業務停止時間内での大規模データ移行を実施するものである。
【０００５】
具体的には、３世代バックアップの概念を用い、最も時間の掛かる筐体間・未管理モードによる全コピーを行わなくてはいけない移行期間初日において、現行退避用ディスク装置から新規運用用ディスク装置へのコピーをすることで、長時間に渡るデータ移行と現行業務を並行実行可能とし、移行期間中顧客業務日から移行後業務初日までにおいては、差分管理モードによる差分コピーで日々の更新分データを新規サーバストレージへ反映することで前記問題を解決し、顧客業務時間の調整をおこなうことなく、大規模データベースの高速な移行を可能にするものである。
【０００６】
更に具体的には、現行サーバの現行データベースが有するユーザデータを、新規サーバの新規データベース(新規サーバストレージの新規ディスク装置上にデータを保持)へリプレースにより移行するにあたって、移行期間初日（顧客業務停止日）、移行期間中顧客業務日、移行期間中顧客業務終了後、移行後業務初日を設定し、前記移行期間初日、前記移行期間中顧客業務日、前記移行期間中顧客業務終了後、前記移行後業務初日は前記現行サーバ、前記新規サーバともに現行サーバストレージ、新規サーバストレージ双方への通信網を介してのアクセスを可能とし、
前記移行期間初日においては、ＤＢＭＳが提供するユーティリティにより前記現行データベースの構成情報を新規サーバに送出し、同情報取込みにより前記現行データベースと同じ構成を新規データベースとして前記新規サーバ上に構築し、ストレージ装置プログラムが提供するストレージ筐体内ディスクイメージコピーにより、現行運用用ディスク装置から現行退避用ディスク装置へのディスクイメージコピーを実施し、コピーが終了次第に前記現行運用用ディスク装置での業務運用を開始可能とし、ストレージ筐体間ディスクイメージコピーにより現行退避用ディスク装置から新規運用用ディスク装置へのディスクイメージコピーを実施することにより、現行データベース運用中での前日分までのデータ移行を実現可能とし、
前記移行期間中顧客業務日においては、その初日において、当日業務及び移行期間初日のデータ移行が終わり次第、前記新規サーバのストレージ筐体コピーモードを未管理モードから差分管理モードに切換え、移行期間中顧客業務終了までの間、当日と前日の更新差分のみをディスクメージコピー対象とし、前記現行運用用ディスク装置から前記現行退避用ディスク装置への差分ディスクイメージコピーを実施し、完了後、前記現行退避用ディスク装置から前記新規運用用ディスク装置への差分ディスクイメージコピーを実施し、
前記移行期間中顧客業務終了後においては、移行期間中最終業務終了後、当日分データを前記現行退避用ディスク装置、前記新規運用用ディスク装置へ差分ディスクイメージコピーが終わり次第、移行期間中最終業務終了までのデータを前記新規運用用ディスク装置から新規退避用ディスク装置への全ディスクイメージコピーを実施し、
前記移行後業務初日においては、ＤＢＭＳが提供するユーティリティにより現行データベース領域情報を新規サーバに送出し、完了次第前記現行データベース領域情報を新規データベースに取込むように構成することを特徴とする。
【発明の効果】
【０００７】
本発明によれば、まず、現行データベースのデータを同ストレージ内の現行退避用ディスク装置へ筐体内ディスクイメージコピーで高速に退避し、新規運用用ディスク装置へのコピーは現行退避用ディスク装置からの筐体間ディスクイメージコピーで実現することで、顧客業務時間を意識せず新規ディスク装置への移行を実施することができる。
従って、顧客業務時間の調整を行うことなく、大規模データベースの高速な移行が可能になる。
【発明を実施するための最良の形態】
【０００８】
本発明は、３世代バックアップの概念を用い、最も時間の掛かる筐体間・未管理モードによる全コピーを行わなくてはいけない移行期間初日において、現行退避用ディスクから新規運用用ディスクへのコピーをすることで、長時間に渡るデータ移行と現行業務を並行実行可能とし、移行期間中顧客業務日から移行後業務初日までにおいては、差分管理モードによる差分コピーで日々の更新分データを新規サーバストレージへ反映することで前記問題を解決し、顧客業務時間の調整をおこなうことなく、大規模データベースの高速な移行を可能にするものであり、
具体的には、現行サーバの現行データベースが有するユーザデータを、新規サーバの新規データベース(新規サーバストレージの新規ディスク装置上にデータを保持)へリプレースにより移行するにあたって、移行期間初日（顧客業務停止日）、移行期間中顧客業務日、移行期間中顧客業務終了後、移行後業務初日を設定し、前記移行期間初日、前記移行期間中顧客業務日、前記移行期間中顧客業務終了後、前記移行後業務初日は前記現行サーバ、前記新規サーバともに現行サーバストレージ、新規サーバストレージ双方への通信網を介してのアクセスを可能とし、
前記移行期間初日においては、ＤＢＭＳが提供するユーティリティにより前記現行データベースの構成情報を新規サーバに送出し、同情報取込みにより前記現行データベースと同じ構成を前記新規データベースとして新規サーバ上に構築し、ストレージ装置プログラムが提供するストレージ筐体内ディスクイメージコピーにより、現行運用用ディスク装置から現行退避用ディスク装置へのディスクイメージコピーを実施し、コピーが終了次第に前記現行運用用ディスク装置での業務運用を開始可能とし、ストレージ筐体間ディスクイメージコピーにより現行退避用ディスク装置から新規運用用ディスク装置へのディスクイメージコピーを実施することにより、現行データベース運用中での前日分までのデータ移行を実現可能とし、
前記移行期間中顧客業務日においては、その初日において、当日業務及び移行期間初日のデータ移行が終わり次第、前記新規サーバのストレージ筐体コピーモードを未管理モードから差分管理モードに切換え、移行期間中顧客業務終了までの間、当日と前日の更新差分のみをディスクメージコピー対象とし、前記現行運用用ディスク装置から前記現行退避用ディスク装置への差分ディスクイメージコピーを実施し、完了後、前記現行退避用ディスク装置から前記新規運用用ディスク装置への差分ディスクイメージコピーを実施し、
前記移行期間中顧客業務終了後においては、移行期間中最終業務終了後、当日分データを前記現行退避用ディスク装置、前記新規運用用ディスク装置へ差分ディスクイメージコピーが終わり次第、移行期間中最終業務終了までのデータを前記新規運用用ディスク装置から新規退避用ディスク装置への全ディスクイメージコピーを実施し、
前記移行後業務初日においては、ＤＢＭＳが提供するユーティリティにより現行データベース領域情報を新規サーバに送出し、完了次第前記現行データベース領域情報を新規データベースに取込むように構成する。
【実施例１】
【０００９】
以下、図面を参照して本発明の実施例１を説明する。
【００１０】
図1は、この実施例１におけるデータベース管理システムの構成を示すブロック図であり、１００はＬＡＮ通信回線、２００は現行サーバシステム、３００は新規サーバシステムである。
【００１１】
現行サーバシステム２００は、現行サーバ２１０と現行サーバストレージ２２０と前記現行サーバ２１０と現行サーバストレージ２２０を結ぶファイバチャネル回線２３０を備える。
【００１２】
また、前記新規サーバシステム３００は、新規サーバ３１０と新規サーバストレージ３２０と前記新規サーバ３１０と新規サーバストレージ３２０を結ぶファイバチャネル回線３３０を備える。
【００１３】
そして、前記ファイバチャネル回線２３０，３３０の途中にはファイバチャネルスイッチ４００を介在させて共通に接続する。
【００１４】
前記現行サーバ２１０は、現行データベース（ＤＢＭＳを含む）２１１と、前記現行サーバ２１０を前記ＬＡＮ通信回線１００に接続するＬＡＮアダプタ２１２と、前記現行サーバ２１０を前記ファイバチャネル回線２３０に接続するファイバチャネル接続２１３と、入力装置２１４と、表示装置２１５とを備える。
【００１５】
また、前記現行サーバストレージ２２０は、現行データベース２１１のデータを格納する現行運用用ディスク装置２２１と、現行データベース２１１のデータを退避する現行退避用ディスク装置２２２と、これらのディスク装置２２１，２２２を前記ファイバチャネル回線２３０に接続するファイブチャネル接続アダプタ２２３を備える。
【００１６】
前記新規サーバ３１０は、新規データベース（ＤＢＭＳを含む）３１１と、前記新規データベース３１１を前記ＬＡＮ通信回線１００に接続するＬＡＮアダプタ３１２と、前記新規データベース３１１を前記ファイバチャネル回線３３０に接続するファイバチャネル接続３１３と、入力装置３１４と、表示装置３１５とを備える。
【００１７】
また、前記新規サーバストレージ３２０は、新規データベース３１１のデータを格納する新規運用用ディスク装置３２１と、新規データベース３１１のデータを退避する新規退避用ディスク装置３２２と、これらのディスク装置３２１，３２２を前記ファイバチャネル回線３３０に接続するファイブチャネル接続アダプタ３２３を備える。
【００１８】
この実施例におけるデータベース管理システムは、ＤＢＭＳのＤＢ定義送出コマンド、ＤＢ領域情報送出コマンド、ストレージ装置プログラムの３世代ディスクイメージコピー、筐体間ディスクイメージコピーを組合せて使用することにより、現行の顧客業務停止時間内での大規模データ移行を実施するものである。
【００１９】
具体的には、３世代バックアップの概念を用い、最も時間の掛かる筐体間・未管理モードによる全コピーを行わなくてはいけない移行期間初日において、現行退避用ディスク装置２２２から新規運用用ディスク装置３２１へのコピーをすることで、長時間に渡るデータ移行と現行業務を並行実行可能とし、移行期間中顧客業務日から移行期間中顧客業務終了までにおいては、差分管理モードによる差分コピーで日々の更新分を新規ディスク装置へ反映することで、顧客業務の調整を行うことなく、大規模データベースの高速な移行を可能にするものである。
【００２０】
図２は、現行サーバシステム２００のデータを新規サーバシステム３００に移行する移行期間初日に現行データベース２１１と新規データベース３１１におけるＤＢＭＳが実行するデータ転送のフローチャートである。
【００２１】
ステップＳ２１１１１
現行サーバ２１０が現行データベース２１１のデータを使用する顧客業務を終了する処理である。
【００２２】
ステップＳ２１１１２
現行サーバ２１０が現行データベース構成情報を新規サーバ３１０へ送出する処理である。
【００２３】
ステップＳ３１１１１
新規サーバ３１０が現行データベース構成情報を新規データベース３１１に取り込む処理である。
【００２４】
ステップＳ２１１１３
現行サーバ２１０が現行運用ディスク装置２１１から現行退避用ディスク装置２２２へのディスクイメージコピーを開始する処理である。
【００２５】
ステップＳ２１１１４
現行サーバ２１０が現行運用ディスク装置２１１から現行退避用ディスク装置２２２へのディスクイメージコピーを完了する処理である。
【００２６】
ステップＳ３１１１２
新規サーバ３１０が現行退避用ディスク装置２２２から新規運用用ディスク装置３２１へのディスクイメージコピーを開始する処理である。
【００２７】
図３ａ，図３ｂは、現行サーバ２１０のデータを新規サーバ３１０に移行する移行期間中顧客業務日に現行データベース２１１と新規データベース３１１におけるトレージ装置プログラムが実行するデータ転送のフローチャートである。
【００２８】
ステップＳ２１１２１
現行サーバ２１０が現行データベース２１１のデータを使用する顧客業務を開始する処理である。
【００２９】
ステップＳ２１１２２
現行サーバ２１０が現行データベース２１１のデータを使用する顧客業務を終了する処理である。
【００３０】
ステップＳ３１１２１
新規サーバ２１０が移行期間初日分のデータについて、現行退避用ディスク装置２２２から新規運用用ディスク装置３２１へのディスクイメージコピーを完了する処理である。
【００３１】
ステップＳ３１１２２
新規サーバ２１０が現行サーバストレージ２２０のモードを差分管理モードへ変換する処理である。
【００３２】
ステップＳ２１１２３
現行サーバ２１０が移行期間中顧客業務日分のデータについて、現行運用用ディスク装置２２１から現行退避用ディスク装置２２２への差分ディスクイメージコピーを開始する処理である。
【００３３】
ステップＳ２１１２４
現行サーバ２１０が移行期間中顧客業務日分のデータについて、現行運用用ディスク装置２２１から現行退避用ディスク装置２２２への差分ディスクイメージコピーを完了する処理である。
【００３４】
ステップＳ２１１２５
現行サーバ２１０が現行データベース２１１のデータを使用する顧客業務の開始処理である。
【００３５】
ステップＳ３１１２５
新規サーバ３１０が移行期間中顧客業務日分のデータについて、現行退避用ディスク装置２２２から新規運用用ディスク装置３２１へのディスクイメージコピーを開始する処理である。
【００３６】
ステップＳ３１１２６
新規サーバ３１０が移行期間中顧客業務日分のデータについて、現行退避用ディスク装置２２２から新規運用用ディスク装置３２１へのディスクイメージコピーを完了する処理である。
【００３７】
ここで、ステップＳ２１１２１，２１１２２とステップＳ３１１２１及びステップＳ２１１２５とステップＳ３１１２５，３１１２６は、並行して実行することが可能な処理である。
【００３８】
図４は、現行サーバシステム２００のデータを新規サーバシステム３００に移行する移行期間中、顧客業務終了後に現行データベース２１１と新規データベース３１１におけるストレージ装置プログラムが実行するデータ転送のフローチャートである。
【００３９】
ステップＳ２１１３１
現行サーバ２１０が現行データベース２１１のデータを使用する顧客業務を終了する処理である。
【００４０】
ステップＳ３１１３１
新規サーバ２１０が移行期間初日分のデータについて、現行退避用ディスク装置２２２から新規運用用ディスク装置３２１へのディスクイメージコピーを完了する処理である。
【００４１】
ステップＳ２１１３２
現行サーバ２１０が移行期間中顧客業務最終日分のデータについて、現行運用用ディスク装置２２１から現行退避用ディスク装置２２２への差分ディスクイメージコピーを開始する処理である。
【００４２】
ステップＳ２１１３３
現行サーバ２１０が移行期間中顧客業務最終日分のデータについて、現行運用用ディスク装置２２１から現行退避用ディスク装置２２２への差分ディスクイメージコピーを完了する処理である。
【００４３】
ステップＳ３１１３２
新規サーバ３１０が移行期間中顧客業務最終日分のデータについて、現行退避用ディスク装置２２２から新規運用用ディスク装置３２１へのディスクイメージコピーを開始する処理である。
【００４４】
ステップＳ３１１３３
新規サーバ３１０が移行期間中顧客業務最終日分のデータについて、現行退避用ディスク装置２２２から新規運用用ディスク装置３２１へのディスクイメージコピーを完了する処理である。
【００４５】
ステップＳ３１１３４
新規サーバ３１０が移行期間中顧客業務最終日までのデータについて、現行退避用ディスク装置２２２から新規運用用ディスク装置３２１へのディスクイメージコピーを開始する処理である。
【００４６】
ステップＳ３１１３５
新規サーバ３１０が移行期間中顧客業務最終日までのデータについて、現行退避用ディスク装置２２２から新規運用用ディスク装置３２１へのディスクイメージコピーを完了する処理である。
【００４７】
ここで、ステップＳ２１１３１〜２１１３３とステップＳ３１１３１は、並行して実行することが可能な処理である。
【００４８】
図５は、現行サーバ２００のデータを新規サーバに移行する移行後顧客業務初日に現行データベース２１１と新規データベース３１１におけるストレージ装置プログラムが実行するデータ転送のフローチャートである。
【００４９】
ステップＳ２１１４１
現行サーバ２１０が現行データベース領域情報（メタデータ）を新規サーバ３１０へ送出する処理である。
【００５０】
ステップＳ３１１４１
新規サーバ３１０が現行データベース領域情報（メタデータ）を新規データベース３１１に取り込む処理である。
【００５１】
ステップＳ３１１４２
新規サーバ３１０が新規データベース３１１を使用する顧客業務を開始する処理である。
【００５２】
ステップＳ３１１４３
新規サーバ３１０が新規データベース３１１を使用する顧客業務を終了する処理である。
【００５３】
ステップＳ３１１４４
新規サーバ３１０が移行後顧客業務分のデータについて、新規運用用ディスク装置３２１から新規退避用ディスク装置３２２へのディスクイメージコピーを開始する処理である。
【００５４】
ステップＳ３１１４５
新規サーバ３１０が移行期間中顧客業務日分のデータについて、新規運用用ディスク装置３２１から新規退避用ディスク装置３２２へのディスクイメージコピーを完了する処理である。
【００５５】
図６〜図９は、前記データ転送におけるデータフロー（転送）の模式図であり、図６は、移行期間初日におけるデータフロー、図７は、移行期間中顧客業務日〜移行期間中顧客業務終了までのデータフロー、図８は、移行期間中顧客業務終了〜移行期間後顧客業務初日までのデータフロー、図９は、移行期間後（データ転送完了後）顧客業務初日のデータフローの模式図である。
【図面の簡単な説明】
【００５６】
【図１】本発明の実施例１におけるデータベースシステムの構成を示すブロック図である。
【図２】実施例１のデータベースシステムにおいて、現行サーバのデータを新規サーバに移行する移行期間初日に現行データベースと新規データベースにおけるＤＢＭＳが実行するデータ転送のフローチャートである。
【図３ａ】実施例１のデータベースシステムにおいて、現行サーバのデータを新規サーバに移行する移行期間中顧客業務日に現行データベースと新規データベースにおけるストレージ装置プログラムが実行するデータ転送のフローチャートである。
【図３ｂ】実施例１のデータベースシステムにおいて、現行サーバのデータを新規サーバに移行する移行期間中顧客業務日に現行データベースと新規データベースにおけるストレージ装置プログラムが実行するデータ転送のフローチャートである。
【図４】実施例１のデータベースシステムにおいて、現行サーバのデータを新規サーバに移行する移行後顧客業務終了後に現行データベースと新規データベースにおけるストレージ装置プログラムが実行するデータ転送のフローチャートである。
【図５】実施例１のデータベースシステムにおいて、現行サーバのデータを新規サーバに移行する移行後顧客業務初日に現行データベースと新規データベースにおけるストレージ装置プログラムが実行するデータ転送のフローチャートである。
【図６】実施例１のデータベースシステムにおける移行期間初日のデータフローの模式図である。
【図７】実施例１のデータベースシステムにおける移行期間中顧客業務日〜移行期間中顧客業務終了までのデータフローの模式図である。
【図８】実施例１のデータベースシステムにおける移行期間中顧客業務終了〜移行顧客業務初日までのデータフローの模式図である。
【図９】実施例１のデータベースシステムにける移行期間後顧客業務初日のデータフローの模式図である。
【符号の説明】
【００５７】
１００…ＬＡＮ通信回線、２００…現行サーバシステム、２１０…現行サーバ、２１１…現行データベース、２１２…ＬＡＮアダプタ、２１３…ファイバチャネル接続アダプタ、２２０…現行サーバストレージ、２２１…現行運用用ディスク装置、２２２…現行待避用ディスク装置、３００…新規サーバシステム、３１０…新規サーバ、３１１…新規データベース、３１２…ＬＡＮアダプタ、３１３…ファイバチャネル接続アダプタ、３２０…新規サーバストレージ、３２１…新規運用用ディスク装置、３２２…新規待避用ディスク装置、４００…ファイバチャネルスイッチ。
【図１】
2009230586.tif 000003
【図２】
2009230586.tif 000004
【図３ａ】
2009230586.tif 000005
【図３ｂ】
2009230586.tif 000006
【図４】
2009230586.tif 000007
【図６】
2009230586.tif 000008
【図７】
2009230586.tif 000009
【図８】
2009230586.tif 000010
【図９】
2009230586.tif 000011
【図５】
2009230586.tif 000012
【手続補正書】
【提出日】平成20年3月25日(2008.3.25)
【手続補正１】
【補正対象書類名】図面
【補正対象項目名】図５
【補正方法】変更
【補正の内容】
【図５】
2009230586.tif 000013